(57)【要約】【課題】テープロールの交換が容易にでき、しかも、テープ装填部に支持されたテープロールの側面が埃やゴミの付着によって汚れることを防止することができるテープカッタを提供する。【解決手段】粘着テープ３５を巻回したテープロール３６が装填されるテープ装填部３８内には、テープロール３６上の粘着テープ３５の引き出し点Ｐを挟む２位置でテープロール３６の外周に当接して、粘着テープ３５の引き出し時にテープロール３６を回転可能に支える一対のロール案内部材５３，５４を備えることによって、リールを使わずにテープロール３６を回転自在に支持でき、テープロール３６の交換作業を容易にすることができる。【選択図】図１
2009029526.tif 000002
【特許請求の範囲】
【請求項１】
円筒状の芯の外周に粘着テープを巻回したテープロールを回転自在に支持するテープ装填部と、前記テープロールから引き出された前記粘着テープを切断するカッター刃とを備えたテープカッタであって、
前記テープ装填部内には、前記テープロール外周上の粘着テープの引き出し点を挟む少なくとも２位置で当接して、前記テープロールを回転可能に支えるロール案内部材を備えたことを特徴とするテープカッタ。
【請求項２】
前記テープ装填部は、前記テープロールを収容するロール収容凹部と、該ロール収容凹部を開閉可能に覆うカバー部材とで、前記テープロールの略全周囲を覆う構造であって、
前記ロール案内部材の内の一方は前記カバー部材側に、他方は前記ロール収容凹部側に装備したことを特徴とする請求項１に記載のテープカッタ。
【請求項３】
前記テープ装填部内の前記テープロールを、前記ロール案内部材側に付勢するロール付勢手段を備えたことを特徴とする請求項１又は２に記載のテープカッタ。
【請求項４】
前記ロール案内部材は、前記カバー部材若しくは前記ロール収容凹部に回転自在に支持された一対のガイドローラであることを特徴とする請求項１乃至３のいずれか一項に記載のテープカッタ。
【請求項５】
前記カバー部材が透明材料で形成されていることを特徴とする請求項２から４のいずれかに記載のテープカッタ。
【発明の詳細な説明】
【技術分野】
【０００１】
本発明は、机上などに設置してテープロールから粘着テープを引き出し切断するためのテープカッタに関する。
【背景技術】
【０００２】
従来一般に使用されているテープカッタとして図６に示すものが知られている。
このテープカッタ１は、下記特許文献１に開示されたもので、机上などに安定載置される形状を呈した本体３に、円筒状の芯の外周に粘着テープ５を巻回したテープロール６を回転自在に支持するテープ装填部８と、このテープ装填部８からテープ引き出し方向に適宜離間した位置に装備されてテープ装填部８のテープロール６から引き出された粘着テープ５を切断するカッター刃１１と、該カッター刃１１とテープ装填部８との間に設けられてテープロール６から引き出された粘着テープ５を貼着支持するテープ仮止め面１３ａ，１３ｂとを備えた構造になっている。
【０００３】
テープ装填部８は、図７に示すように、テープロール６の内周部の芯に嵌合するリール１５と、このリール１５を収容するべく本体３の上面に開口する凹部１６とから構成されている。
凹部１６の対向する内側面には、リール１５の中心軸１５ａを嵌合させる縦溝１７が形成されている。テープロール６が装着されたリール１５は、その中心軸１５ａを凹部１６の縦溝１７に嵌合させることで、粘着テープ５の引き出し方向への移動が規制されると同時に、粘着テープ５の引き出しに応じて回転可能に支持される。
【０００４】
【特許文献１】特開平８−１４１９７９号公報
【発明の開示】
【発明が解決しようとする課題】
【０００５】
ところが、前述のようにリール１５を介してテープロール６を回転自在に支持するテープカッタ１では、テープロール６を交換する際には、図７に示すように、本体３からまずリール１５を抜き出して、該リール１５から使用済みのテープロール６を離脱させた後、新しいテープロール６をリール１５に嵌合させて、リール１５を元に戻す作業が必要で、交換に手間がかかるという問題があった。
【０００６】
また、図示のように、従来のテープカッタ１は、テープ装填部８のテープロール６が外部に露出しているため、テープロール６の側面が、埃やゴミの付着によって汚れやすいという問題もあった。
【０００７】
そこで、本発明の目的は上記課題を解決するためになされたものであって、テープロールの交換が容易にでき、しかも、テープ装填部に支持されたテープロールの側面が埃やゴミの付着によって汚れることを防止することができるテープカッタを提供することを目的とする。
【課題を解決するための手段】
【０００８】
上記課題を解決することのできる本発明は、円筒状の芯の外周に粘着テープを巻回したテープロールを回転自在に支持するテープ装填部と、前記テープロールから引き出された前記粘着テープを切断するカッター刃とを備えたテープカッタであって、
前記テープ装填部内には、前記テープロール外周上の粘着テープの引き出し点を挟む少なくとも２位置で当接して、前記テープロールを回転可能に支えるロール案内部材を備えたことを特徴とする。
【０００９】
上記構成によれば、テープ装填部に装填されたテープロールは、テープロール外周上の粘着テープの引き出し点を挟む少なくとも２位置で、ロール案内部材により回転自在に支持される構成であり、テープロールの内周に嵌合させるリールは使用していない。
従って、テープロールの交換時には、使用済みのテープロールをテープ装填部から抜き出した後、空のテープ装填部に新規のテープロールを投入して、テープロールからの粘着テープの引き出し端を一対のロール案内部材間に挿通させるだけで良く、リールを使ってテープロールを回転自在に支持させる従来の構造と比較すると、テープロールの交換時の作業を大幅に軽減でき、テープロールの交換が容易になる。
また、テープロールの内周に嵌合させるリールを使用しないため、使用可能なテープロールが、円筒状の芯の内径により制限されることがなくなり、より多種のテープロールを使用することが可能になる。
【００１０】
また、本発明において、前記テープ装填部は、前記テープロールを収容するロール収容凹部と、該ロール収容凹部を開閉可能に覆うカバー部材とで、前記テープロールの略全周囲を覆う構造であって、
前記ロール案内部材の内の一方は前記カバー部材側に、他方は前記ロール収容凹部側に装備したことを特徴とする。
【００１１】
上記構成によれば、テープロールの交換作業は、カバー部材を開いて本体のロール収容凹部から使用済みのテープロールを抜き出した後、新規のテープロールを前記ロール収容凹部に投入して、テープロールから引き出した粘着テープの端部をテープ仮止め面に粘着固定した状態でカバー部材を閉じれば、一対のロール案内部材が粘着テープの引き出し点を挟む２位置で前記テープロールの外周に当接した状態が得られ、粘着テープを一対のロール案内部材間に挿通する手間も不要になり、更に、テープロールの交換が容易になる。
しかも、テープ装填部のテープロールは、本体に形成されたロール収容凹部とその開放側を覆うカバー部材とで略全周囲が覆われるため、テープ装填部内に周囲の埃やゴミが侵入し難く、テープ装填部に支持されたテープロールの側面が埃やゴミの付着によって汚れることを防止することができる。
【００１２】
また、本発明において、前記テープ装填部内の前記テープロールを、前記ロール案内部材側に付勢するロール付勢手段を備えたことを特徴とする。
【００１３】
上記構成によれば、テープ装填部内に投入されたテープロールは、その巻径に拘わらず、常時、一対のロール案内部材側に外周部を当接させた定位置に回転自在に位置決めされる。
そのため、粘着テープの引き出し操作時に、テープロールの外周がロール案内部材から離反して、テープロールの回転動作が不安定になるといった不都合を防止でき、安定した操作性を確保することができる。
【００１４】
また、本発明において、前記ロール案内部材は、前記カバー部材若しくは前記ロール収容凹部に回転自在に支持された一対のガイドローラであることを特徴とする。
【００１５】
上記構成によれば、粘着テープの引き出し操作時に、ロール案内部材とテープロールとの間の接触摩擦を低減でき、より小さな操作力で、粘着テープの引き出しが可能になり、取り扱い性を向上させることができる。また、ロール案内部材とテープロールとの間の接触摩擦を低減できるため、粘着テープの表面が擦れて傷つくことも防止できる。
【００１６】
また、本発明において、前記カバー部材が透明材料で形成されていることを特徴とする。
【００１７】
上記構成によれば、テープ装填部内のテープロールの残量等を前記カバー部材越しに確認でき、突然のテープ切れ等の不都合の発生を防止することができる。
【発明を実施するための最良の形態】
【００１８】
以下、本発明に係るテープカッタの好適な実施の形態について、図面を参照して詳細に説明する。
図１は本発明に係るテープカッタの一実施の形態のカバー部材を開いた状態の斜視図、図２は図１に示したテープカッタの側面図、図３は図１に示したテープカッタのカバー部材が閉じられて、装填されているテープロールが一対のロール案内部材により回転自在に支持されている状態を示す側面図、図４は図３の状態から、装填されているテープロールの巻径が小さくなった場合に、テープロールが一対のロール案内部材により回転自在に安定支持されている状態を示す側面図である。
【００１９】
この一実施の形態のテープカッタ３１は、机上などに安定載置される形状を呈した本体３３に、円筒状の芯３４の外周に粘着テープ３５を巻回したテープロール３６を回転自在に支持するテープ装填部３８と、該テープ装填部３８からテープ引き出し方向（図１では、矢印Ａ方向）に適宜離間した位置に装備されてテープ装填部３８のテープロール３６から引き出された粘着テープ３５を切断するカッター刃４１と、該カッター刃４１とテープ装填部３８との間に設けられてテープロール３６から引き出された粘着テープ３５を貼着支持するテープ仮止め面４３とを備えている。
【００２０】
本体３３は、合成樹脂による射出成形品で、カッター刃４１が装備される前方柱部４５と、テープ装填部３８を提供する後方箱部４６との間に、テープの引き出し操作の際に手指を挿通させる谷部４７が形成されている。
【００２１】
本実施の形態の場合、テープ装填部３８は、テープロール３６を収容するべく本体３３の後方箱部４６の上面に形成されたロール収容凹部４８と、該ロール収容凹部４８の開放側を開閉可能に覆うカバー部材４９とで、テープロール３６の略全周囲を覆う構造に形成されている。
【００２２】
ロール収容凹部４８は、円弧状の底壁４８ａと、この底壁４８ａを挟んで対向する一対の側壁４８ｂ，４８ｃと、底壁４８ａの後端に起立する後壁４８ｄとによって、上方及び前方を開放した厚肉半円状の収容空間を形成している。図３に示すように、最大巻径のテープロール３６の約下半分（図示では、半分よりやや多い）を収容することができる。
【００２３】
カバー部材４９は、図３に示すように閉じた状態にすると、ロール収容凹部４８の上部に、ロール収容凹部４８とは逆向きの厚肉半円状の収容空間４９ａを形成するもので、テープロール３６のロール収容凹部４８から上に突出している部分を覆う。
カバー部材４９は、透明樹脂等の透明材料で形成されており、その後端部がヒンジ５１により本体３３の後端部に回動自在に連結されていて、ヒンジ５１周りの回動により、ロール収容凹部４８の上部開放部を開閉する。
【００２４】
本実施の形態の場合、カバー部材４９は、図１に示すように、閉じたときに、後方箱部４６に一体形成された係止片７１が係合する係合部７３が設けられており、これらの係止片７１及び係合部７３の係合により、閉じた状態がロックされるようになっている。
なお、この場合のロックとは、粘着テープ３５の引き出し時に一対のロール案内部材５３，５４に作用するテープロール３６からの押圧力程度ではカバー部材４９が開かないように、カバー部材４９を後方箱部４６に係止する力である。
係止片７１及び係合部７３の係合によるロックは、例えば、カバー部材４９を開くために手指でカバー部材４９を開放方向に一定以上の力で引くと、係止片７１の弾性変形による係合離脱により、解除される。
【００２５】
ロール収容凹部４８とカバー部材４９により構成されるテープ装填部３８内には、テープロール３６上の粘着テープ３５の引き出し点Ｐ（図１参照）を挟む２位置でテープロール３６の外周に当接し、粘着テープ３５の引き出し時にテープロール３６を回転可能に支える一対のロール案内部材５３，５４を備えている。
そして、これらの一対のロール案内部材５３，５４の内、収容空間４９ａ内に位置するロール案内部材５３はカバー部材４９に、ロール収容凹部４８内に位置するロール案内部材５４は本体３３に取り付けられている。
【００２６】
また、本実施の形態の場合、一対のロール案内部材５３，５４は、それぞれ、カバー部材４９若しくは本体３３に回転自在に支持されたガイドローラである。
【００２７】
更に、本実施の形態の場合、図３及び図４に示すようにテープ装填部３８内のテープロール３６が一対のロール案内部材５３，５４に当接した状態を維持するように、テープ装填部３８内のテープロール３６を一対のロール案内部材５３，５４側に付勢するロール付勢手段６１を備えている。
【００２８】
ロール付勢手段６１は、図３及び図４に示すようにテープロール３６の外周の一対のロール案内部材５３，５４と対向する位置に当接される第３のロール案内部材６３と、この第３のロール案内部材６３を後方箱部４６上の支点６５ａを中心とする半径Ｒの軌道Ｔｒで移動可能に支持する第１のリンク６５と、第３のロール案内部材６３がテープロール３６の巻径の変化に追従して移動可能なように第１のリンク６５を図３及び図４において反時計方向に付勢するばね部材６６と、図２及び図３に示すようにカバー部材４９を開く動作に連動してばね部材６６の支点６７を有した連節板６８を支点６５ａを中心に時計方向に回動させて、カバー部材４９を開いた時にばね部材６６による付勢を解除する連動リンク６９と、から構成されている。
【００２９】
従って、カバー部材４９を開いた時には、図２に示すように、第３のロール案内部材６３はロール収容凹部４８の最後方部に退避した状態になり、カバー部材４９を閉じると、徐々に前進して、図３及び図４に示すように、収容しているテープロール３６を一対のロール案内部材５３，５４側に押圧する。
【００３０】
本実施の形態の場合、第３のロール案内部材６３とテープロール３６との接触摩擦を軽減するために、第３のロール案内部材６３には、一対の第１のリンク６５間に回転自在に支持される第３のガイドローラを使用している。
【００３１】
以上に説明した本実施の形態のテープカッタ３１では、テープ装填部３８に装填されたテープロール３６は、図３に示すように、テープロール３６上の粘着テープ３５の引き出し点Ｐを挟む２位置でテープロール３６の外周に当接する一対のロール案内部材５３，５４により回転自在に支持される構成であり、テープロール３６の内周に嵌合させるリールは使用していない。
従って、テープロール３６の交換時には、図１に示したように、カバー部材４９を開いて、テープ装填部３８を開放状態にし、使用済みのテープロール３６をテープ装填部３８から抜き出した後、空のテープ装填部３８に新規のテープロール３６を投入して、テープロール３６からの粘着テープ３５の引き出し端を一対のロール案内部材５３，５４間に挿通させるだけで良く、リールを使ってテープロールを回転自在に支持させる従来の構造と比較すると、テープロール３６の交換時の作業を大幅に軽減でき、テープロール３６の交換が容易になる。
【００３２】
また、テープロール３６の内周に嵌合させるリールを使用しないため、使用可能なテープロール３６が、円筒状の芯３４の内径により制限されることがなくなり、より多種のテープロール３６を使用することが可能になる。
【００３３】
また、本実施の形態のテープカッタ３１では、一対のロール案内部材５３，５４の一方はカバー部材４９に、他方は本体３３に装備した構成のため、テープロール３６の交換作業は、カバー部材４９を開いて本体３３のロール収容凹部４８から使用済みのテープロール３６を抜き出した後、新規のテープロール３６を前記ロール収容凹部４８に投入して、テープロール３６から引き出した粘着テープ３５の端部をテープ仮止め面４３に粘着固定した状態でカバー部材４９を閉じる。このように装着すれば、一対のロール案内部材５３，５４が粘着テープ３５の引き出し点Ｐを挟む２位置で前記テープロール３６の外周に当接した状態が得られ、粘着テープ３５を一対のロール案内部材５３，５４間に挿通する手間も不要になり、更に、テープロール３６の交換が容易になる。
【００３４】
しかも、テープ装填部３８のテープロール３６は、本体３３に形成されたロール収容凹部４８とその開放側を覆うカバー部材４９とで略全周囲が覆われる。このため、テープ装填部３８内に周囲の埃やゴミが侵入し難く、テープ装填部３８に支持されたテープロール３６の側面が埃やゴミの付着によって汚れることを防止することができる。
【００３５】
更に、本実施の形態のテープカッタ３１では、テープ装填部３８内のテープロール３６が一対のロール案内部材５３，５４に当接した状態を維持するように、テープ装填部３８内のテープロール３６を一対のロール案内部材５３，５４側に付勢するロール付勢手段６１を備えている。
そのため、テープ装填部３８内に投入されたテープロール３６は、図４に示すように、その巻径に拘わらず、常時、一対のロール案内部材５３，５４側に外周部を当接させた定位置に回転自在に位置決めされる。
そのため、粘着テープ３５の引き出し操作時に、テープロール３６の外周がロール案内部材から離反して、テープロール３６の回転動作が不安定になるといった不都合を防止でき、安定した操作性を確保することができる。
【００３６】
また、本実施の形態のテープカッタ３１では、一対のロール案内部材５３，５４が、カバー部材４９若しくは本体３３に回転自在に支持されたガイドローラである。
そのため、粘着テープ３５の引き出し操作時に、一対のロール案内部材５３，５４とテープロール３６との間の接触摩擦を最小限に低減でき、より小さな操作力で、粘着テープ３５の引き出しが可能になり、取り扱い性を向上させることができる。
また、ロール案内部材５３，５４とテープロール３６との間の接触摩擦を低減できるため、粘着テープ３５の表面が擦れて傷つくことも防止できる。
【００３７】
更に、本実施の形態のテープカッタ３１では、カバー部材４９が透明材料で形成されている。そのため、テープ装填部３８内のテープロール３６の残量等をカバー部材４９越しに確認でき、突然のテープ切れ等の不都合の発生を防止することができる。
【００３８】
なお、本発明に係るテープカッタにおいて、テープロール３６の外周に当接することでテープロール３６を回転自在に支持する一対のロール案内部材の具体的構造は、上記実施の形態に示したガイドローラに限らない。
図５は、テープロール３６の外周に当接させる一対のロール案内部材５３，５４の他の実施の形態を示した概略断面図である。
ここに示した各ロール案内部材５３，５４は、テープロール３６側に凸に湾曲させた板材である。そして、テープロール３６に当接する表面を摩擦力の小さなテフロン（登録商標）等で被覆することで、粘着テープを引き出す際のテープロール３６との間の摩擦を小さく抑えるようにしている。
【００３９】
また、本発明に係るテープカッタにおいて、例えばテープロール３６の重量が軽く、図３及び図４に示したように、テープロール３６が一対のロール案内部材５３，５４に当接した状態が、粘着テープ３５とテープ仮止め面４３との粘着力だけで維持できる場合には、ロール付勢手段６１の装備を省略して、装置構成を簡略化することができる。
【００４０】
また、本発明に係るテープカッタにおいて、カバー部材を閉じた時に本体側に係合ロックする具体的な構成は、上記実施の形態に示した係止片７１及び係合部７３による係合構造に限らない。また、テープ装填部に収容したテープロールを一対のロール案内部材側に付勢するロール付勢手段の具体的な構成も、上記実施の形態の構成に限らない。本発明の趣旨を逸脱しない範囲で、適宜に設計変更、改良が可能である。
【図面の簡単な説明】
【００４１】
【図１】本発明に係るテープカッタの一実施の形態のカバー部材を開いた状態の斜視図である。
【図２】図１に示したテープカッタの側面図である。
【図３】図１に示したテープカッタのカバー部材が閉じられて、装填されているテープロールが一対のロール案内部材により回転自在に支持されている状態を示す側面図である。
【図４】図３の状態から、装填されているテープロールの巻径が小さくなった場合にも、テープロールが一対のロール案内部材により回転自在に安定支持されている状態を示す側面図である。
【図５】本発明に係る一対のロール案内部材の他の実施の形態を示す概略断面図である。
【図６】従来のテープカッタの斜視図である。
【図７】図６に示したテープカッタのテープロール交換時の分解斜視図である。
【符号の説明】
【００４２】
３１：テープカッタ、３３：本体、３４：芯、３５：粘着テープ、３６：テープロール、３８：テープ装填部、４１：カッター刃、４３：テープ仮止め面、４５：前方柱部、４６：後方箱部、４７：谷部、４８：ロール収容凹部、４９：カバー部材、４９ａ：収容空間、５１：ヒンジ、５３，５４：ロール案内部材、６１：ロール付勢手段、６３：第３のロール案内部材、Ｐ：引き出し点
【図１】
2009029526.tif 000003
【図２】
2009029526.tif 000004
【図３】
2009029526.tif 000005
【図４】
2009029526.tif 000006
【図５】
2009029526.tif 000007
【図６】
2009029526.tif 000008
【図７】
2009029526.tif 000009